(57)【要約】【課題】密閉容器の振動減衰効果を高め、低コストで、騒音の低い密閉型圧縮機を提供する。【解決手段】電動要素２と、電動要素２によって駆動する圧縮要素４と、電動要素２と圧縮要素４と潤滑油６とを収容した密閉容器１と、を備え、かつ、密閉容器底内面の振動モードの腹に制振部材５０を配置した構成としてある。これにより、密閉容器１の振動の減衰効果を高めることができるので、低コストで、騒音の低い密閉型圧縮機を提供できる。【選択図】図２
2015004280.tif 000002
【特許請求の範囲】
【請求項１】
電動要素と、前記電動要素によって駆動する圧縮要素と、前記電動要素と前記圧縮要素と潤滑油とを収容した密閉容器を備え、かつ、前記密閉容器底内面の振動モードの腹に制振部材を配置した密閉型圧縮機。
【請求項２】
前記制振部材は、溶接によって固定した請求項１に記載の密閉型圧縮機。
【請求項３】
前記制振部材の端部は、前記密閉容器との間に所定の隙間を有した請求項１または２に記載の密閉型圧縮機。
【請求項４】
前記制振部材は、弾性材料で形成した請求項１から３のいずれか一項に記載の密閉型圧縮機。
【請求項５】
前記制振部材を着磁した請求項１から４のいずれか一項に記載の密閉型圧縮機。
【請求項６】
前記制振部材は、前記潤滑油内にある請求項５に記載の密閉型圧縮機。
【請求項７】
請求項１から６のいずれか一項に記載の密閉型圧縮機を搭載した冷凍装置。
【発明の詳細な説明】
【技術分野】
【０００１】
本発明は、冷凍サイクルに用いられる密閉型圧縮機、及びそれを用いた電気冷蔵庫、エアーコンディショナー、冷凍冷蔵庫等の冷凍装置に関するものである。
【背景技術】
【０００２】
近年、冷凍冷蔵庫等の冷凍装置に使用される密閉型圧縮機については、静音化、低振動化が強く望まれている。
【０００３】
そのような中にあって、従来、この種の密閉型圧縮機の中には、静音化、低振動化を図るために密閉容器の内外にウエイトを設けたものが提案されている（例えば、特許文献１参照）。
【０００４】
以下、図面を参照しながら従来の密閉型圧縮機を説明する。
【０００５】
図５は、従来の密閉型圧縮機の縦断面図、図６は、従来の密閉型圧縮機の要部拡大図である。
【０００６】
図５、図６において、この密閉型圧縮機は、密閉容器１に潤滑油６を収容するとともに、密閉容器１内には電動要素２によって駆動される圧縮要素４が収容されている。
【０００７】
圧縮要素４は、コンロッド２５を介してシャフト３０に連結されたピストン２４が往復運動するシリンダ２２を備えている。
【０００８】
また、密閉容器１には、所定の質量を有したウエイト３５が複数の溶接部３７によって装着してある。
【０００９】
以上のように構成された密閉型圧縮機について、以下にその動作を説明する。
【００１０】
電動要素２の駆動によりシャフト３０が回転する。シャフト３０の回転によりコンロッド２５を介してピストン２４がシリンダ２２内を往復運動することにより、外部冷却回路（図示せず）より戻った冷媒を連続して圧縮する。そして、圧縮された冷媒は密閉容器１外の冷凍サイクル（図示せず）へ送出される。
【００１１】
ここで、圧縮動作によって発生した振動や圧力の変動が密閉容器１に伝播するが、この密閉型圧縮機では、密閉容器１の固有値をウエイト３５によって変更させることで、密閉型圧縮機の共振を防止し騒音を低減している。
【先行技術文献】
【特許文献】
【００１２】
【特許文献１】特開２００７−２８４７号公報
【発明の概要】
【発明が解決しようとする課題】
【００１３】
しかしながら、前記従来の密閉型圧縮機の構成では、密閉容器１の振動モードの腹にウエイト３５を配置できていない場合、密閉容器１の振動を十分に防止することができず、騒音の低減効果が小さいという課題を有していた。
【００１４】
また、複数個所の溶接部３７を設けると、工数の増加を引き起こし、コストが増加するという課題も有していた。
【００１５】
そのため、従来は、振動や騒音を低減する別の方法として、密閉容器１の板厚を厚くしたり、密閉容器自体の剛性を高くする構成を採用していたが、いずれもウエイトを設ける場合より、さらにコストが増加するという課題を有していた。
【００１６】
本発明は前記従来の課題を解決したもので、密閉容器の振動減衰効果を高めることで、低コストで、騒音の低い密閉型圧縮機を提供することを目的とする。
【課題を解決するための手段】
【００１７】
前記従来の課題を解決するために、本発明の密閉型圧縮機は、電動要素と、前記電動要素によって駆動する圧縮要素と、前記電動要素と前記圧縮要素と潤滑油とを収容した密閉容器を備え、かつ、前記密閉容器底内面の振動モードの腹に制振部材を配置した構成としたものである。
【００１８】
これによって、密閉容器の振動の減衰効果を高め、騒音を低下させることができる。
【発明の効果】
【００１９】
本発明の密閉型圧縮機は、密閉容器の振動の減衰効果を高めるので、低コストで、騒音の低い密閉型圧縮機を提供することができる。
【図面の簡単な説明】
【００２０】
【図１】本発明の実施の形態１における密閉型圧縮機の横断面図
【図２】本発明の実施の形態１における密閉型圧縮機の縦断面図
【図３】本発明の実施の形態１における密閉型圧縮機の密閉容器の要部拡大断面図
【図４】本発明の実施の形態１における密閉型圧縮機の密閉容器の要部拡大横断面図
【図５】従来の密閉型圧縮機の縦断面図
【図６】従来の密閉型圧縮機の要部拡大断面図
【発明を実施するための形態】
【００２１】
第１の発明は、電動要素と、前記電動要素によって駆動する圧縮要素と、前記電動要素と前記圧縮要素と潤滑油とを収容した密閉容器を備え、かつ、前記密閉容器底内面の振動モードの腹に制振部材を配置した構成としてある。
【００２２】
これにより、密閉容器の振動の減衰効果を高めるので、低コストで、騒音の低い密閉型圧縮機を提供できる。
【００２３】
第２の発明は、第１の発明において、前記制振部材は溶接によって固定したものである。
【００２４】
これにより、輸送時等に加わる強い衝撃に対しても制振部材が移動することがないので、第１の発明の効果に加えて、品質の高い密閉型圧縮機を提供できる。
【００２５】
第３の発明は、第１または第２の発明において、前記制振部材の端部は、前記密閉容器との間に所定の隙間を有する構成としたものである。
【００２６】
これにより、振動を運動エネルギーから熱エネルギーに転換し消滅できるので、第１または第２の発明の効果に加えて、さらに騒音の低い密閉型圧縮機を提供できる。
【００２７】
第４の発明は、第１から第３の発明において、前記制振部材は、弾性材料で形成したものである。
【００２８】
これにより、制振部材が柔軟性を有しているので、さらに減衰効果を高めることができ、第１から第３の発明の効果に加えて、さらに騒音の低い密閉型圧縮機を提供できる。
【００２９】
第５の発明は、第１から第４の発明において、前記制振部材を着磁したものである。
【００３０】
これにより、金属鉄粉などを制振部材が磁力で吸着し捕捉するから、金属鉄粉などが摺動部に搬送されて摺動を阻害することを防止でき、第１から第４の発明の効果に加えて、信頼性の高い密閉型圧縮機を提供できる。
【００３１】
第６の発明は、第５の発明において、前記制振部材は、前記潤滑油内に位置する構成としたものである。
【００３２】
これにより、制振部材全てが金属鉄粉を吸着し捕捉するようになるので、第１から第５の発明の効果に加えて、さらに信頼性の高い密閉型圧縮機を提供できる。
【００３３】
第７の発明は、第１から第６のいずれか一項に記載の密閉型圧縮機を搭載した冷凍装置である。
【００３４】
これにより、冷凍装置は騒音の低い冷却運転を行うことができることとなり、低騒音の冷凍装置を提供できる。
【００３５】
以下、本発明の実施の形態について、図面を参照しながら説明する。なお、この実施の形態によってこの発明が限定されるものではない。
【００３６】
（実施の形態１）
図１は、本発明の実施の形態１における密閉型圧縮機の横断面図、図２は、本発明の実施の形態１における密閉型圧縮機の縦断面図、図３は、本発明の実施の形態１における密閉型圧縮機の密閉容器の要部拡大断面図、図４は、本発明の実施の形態１における密閉型圧縮機の密閉容器の要部拡大横断面図である。
【００３７】
なお、本実施の形態において、図５、図６で説明した従来品と同じ構成要件については、同一の符号を付してその詳細な説明を省略し、本発明の要旨となる構成を主体に説明する。
【００３８】
図１から図４において、この密閉型圧縮機は、例えば冷凍冷蔵庫等の冷凍装置に組み込まれて使用されるもので、その密閉容器１には潤滑油６を収容するとともに、密閉容器１内には電動要素２によって駆動される圧縮要素４が収容されている。
【００３９】
圧縮要素４は、コンロッド２５を介してシャフト３０に連結されたピストン２４が往復運動するシリンダ２２を備えている。
【００４０】
次に、密閉容器１の構成について説明する。
【００４１】
密閉容器１は、熱間圧延軟鋼板等を絞り成型した下側容器６０と上側容器６２とからなり、下側容器６０と上側容器６２は、それぞれ電気溶接にて接合されている。
【００４２】
密閉容器１の底面には、密閉容器１の振動を減衰させる制振部材５０が取り付けてある
。この制振部材５０は、バネ鋼をはじめとする弾性材料で形成してあり、下側容器６０の振動モードの腹に配置固定し、制振部材５０の外周端部５２は下側容器６０との間に所定の隙間を形成するように円弧上に湾曲させてある。
【００４３】
また、制振部材５０は、溶接によって略中央部分の一箇所を固定している。さらに、また、制振部材５０は磁化してあり、潤滑油６中に埋没する如く、潤滑油６の表面より下方に配置されている。
【００４４】
以上のように構成された密閉型圧縮機について、以下その動作、作用を説明する。
【００４５】
電動要素２の駆動によりシャフト３０が回転する。シャフト３０の回転によりコンロッド２５を介してピストン２４がシリンダ２２内を往復運動することにより、外部冷却回路（図示せず）より戻った冷媒を連続して圧縮する。そして、圧縮された冷媒は密閉容器１外の冷凍サイクル（図示せず）へ送出される。
【００４６】
圧縮動作によって発生した振動や圧力の変動は、密閉容器１に伝播するが、下側容器６０の振幅が最大となる振動モードの腹に制振部材５０を配置しているので、密閉容器１の減衰効果を高めることができる。
【００４７】
従って、密閉容器１から外に放射される騒音を極めて低く抑えることができる密閉型圧縮機を提供できる。
【００４８】
さらに、この密閉型圧縮機は制振部材５０を取り付け固定するだけであるから、従来の密閉容器１の板厚を厚くしたり、密閉容器自体の剛性を高くする場合に比べ、大幅なコストダウンが可能となり、騒音の低い密閉型圧縮機を低コストで提供できる。
【００４９】
また、制振部材５０は一箇所を溶接によって固定しているので、輸送時等に加わる強い衝撃に対しても制振部材５０が移動することがなく、制振部材５０が動くことによって生じる騒音減衰効果の低下も防止できる。
【００５０】
よって、安定的に騒音減衰効果を発揮する品質の高い密閉型圧縮機を提供できる。
【００５１】
さらに、溶接箇所を一箇所としたことで、容易に製作することができる。
【００５２】
また、制振部材５０の外周端部５２は、密閉容器１との間に所定の隙間を形成しているので、下側容器６０に伝わる振動を運動エネルギーから熱エネルギーに転換し消滅でき、さらに騒音の低い密閉型圧縮機を提供できる。
【００５３】
また、制振部材５０は、バネ鋼をはじめとする弾性材料で形成しているので、柔軟性を有し、さらに減衰効果を高めることができるので、さらに騒音の低い密閉型圧縮機を提供できる。
【００５４】
また、制振部材５０は着磁してあるので、信頼性の高い密閉型圧縮機とすることができる。すなわち、密閉容器１はその製作過程において、下側容器６０と上側容器６２との嵌合時などに発生する糸状の鉄バリが密閉容器１内に混入し、運転時には圧縮要素４を構成する各要素同士が摺動し摩耗による金属粉などが発生することがある。
【００５５】
しかしながら、制振部材５０を磁化したものは、鉄バリや金属鉄粉などを制振部材５０が吸着保持して捕捉し、摺動部に搬送されて摺動を阻害したり、絶縁部に搬送されて絶縁不良を引き起すことを防止できるので、信頼性の高い密閉型圧縮機を提供できる。
【００５６】
また、制振部材５０は潤滑油６の表面より下方に配置してあり、制振部材５０全てが潤滑油６中に混入している金属鉄粉を吸着し捕捉することができるので、さらに信頼性の高い密閉型圧縮機を提供できる。
【００５７】
そして、密閉型圧縮機を組み込んだ冷凍冷蔵庫等の冷凍装置は、その運転騒音が低下し、低騒音の冷凍装置とすることができる。
【００５８】
尚、本実施の形態では、制振部材５０は一個で例示したが、複数個用いてもよく、同様の作用、効果が得られることは言うまでもない。
【産業上の利用可能性】
【００５９】
以上のように本発明は、低コストで騒音の低い密閉型圧縮機と冷凍装置とすることができ、家庭用電気冷蔵庫に限らず、エアーコンディショナー、自動販売機やその他の冷凍装置、さらに空気圧縮機などの工業用圧縮機などに広く適用できる。
【符号の説明】
【００６０】
１  密閉容器
２  電動要素
４  圧縮要素
６  潤滑油
５０  制振部材
５２  外周端部
【図１】
2015004280.tif 000003
【図２】
2015004280.tif 000004
【図３】
2015004280.tif 000005
【図４】
2015004280.tif 000006
【図５】
2015004280.tif 000007
【図６】
2015004280.tif 000008